(57)【要約】【課題】ＩＰ−ＰＢＸおよびＩＰ端末の障害を起因とする音声通信の異常である無音や片通話を検出する。またＩＰ−ＰＢＸから制御できないＩＰ端末が不正な音声パケットを送出し続けている場合、これを止めることができない。【解決手段】ルータで音声パケットを分析し、無音や片通話が閾値以上の長時間継続した場合、異常として検出する。そして、ルータからＩＰ−ＰＢＸに異常を通知し、ＩＰ−ＰＢＸはＩＰ端末に音声通信を停止する指示を送り、ＩＰ端末は音声パケットの送出を停止する。不正な音声パケットの送出元がＩＰ−ＰＢＸの制御対象外のＩＰ端末である場合、ＩＰアドレスとポート番号により不正な音声パケットをフィルタし破棄する。【選択図】図１
2008072378.tif 000002
【特許請求の範囲】
【請求項１】
ＩＰ−ＰＢＸおよびＩＰ端末がローカルネットワークとルータを経由して基幹ネットワークに接続されているＩＰ通信システムにおいて、
前記ＩＰ−ＰＢＸは、前記ＩＰ端末のＩＰアドレスリストと、前記ルータのＩＰアドレスリストを保持しており、Ｐｅｅｒ  ｔｏ  Ｐｅｅｒで音声通信を行うＩＰ端末対応のルータに対してＩＰ端末のＩＰアドレスリストを配布することと、
前記ルータは、送信元または送信先が前記ＩＰアドレスリストにある音声パケットについて分析を行い、無音や片通話が閾値以上の長時間継続した場合は不正な音声パケットと判断することと、
前記ＩＰ−ＰＢＸに前記不正な音声パケットの送出元のＩＰアドレスを通知することと、
前記不正な音声パケットの送出元のＩＰアドレスが前記ＩＰ−ＰＢＸのＩＰアドレスリストにないため、前記ＩＰ−ＰＢＸから復旧できなかったことの通知を受けると、前記不正な音声パケットをＩＰアドレスとポート番号によりフィルタして破棄することを特徴とするＩＰ通信システム。
【請求項２】
前記無音の通知を受けたＩＰ−ＰＢＸは、前記送信元のＩＰアドレスに該当するＩＰ端末に対して音声通信を停止する指示を送信してルータに対して復旧に成功したことを通知することと、
前記指示を受けたＩＰ端末は当該音声パケットの送出を停止することを特徴とする請求項１記載のＩＰ通信システム。
【請求項３】
前記片通話の通知を受けたＩＰ−ＰＢＸは、受信したＩＰアドレスに該当するＩＰ端末のサービスの状態を確認することと、
前記確認の結果により片方向の音声通信を行うサービス中であれば正常な音声通信であることを当該ルータに通知することと、
前記確認の結果により片方向の音声通信を行うサービス中でない場合は、前記送信元のＩＰアドレスに該当するＩＰ端末に対して音声通信を停止する指示を送信してルータに対して復旧に成功したことを通知することと、
前記指示を受けたＩＰ端末は当該音声パケットの送出を停止することを特徴とする請求項１記載のＩＰ通信システム。
【発明の詳細な説明】
【技術分野】
【０００１】
本発明はＩＰ−ＰＢＸ（Ｉｎｔｅｒｎｅｔ  Ｐｒｏｔｏｃｏｌ−Ｐｒｉｖａｔｅ  Ｂｒａｎｃｈ  Ｅｘｃｈａｎｇｅ）においてＩＰ（Ｉｎｔｅｒｎｅｔ  Ｐｒｏｔｏｃｏｌ）端末間で送受信される音声データの異常を検出し、復旧するＩＰ通信システムに関する。
【背景技術】
【０００２】
図１０は、一般的なＩＰ通信システムを示す。このＩＰ通信システムは、ＩＰ−ＰＢＸ11に収容されたＩＰ端末12，13間の音声通信はＲＴＰ（Ｒｅａｌｔｉｍｅ  Ｔｒａｎｓｐｏｒｔ  Ｐｒｏｔｏｃｏｌ）等のプロトコルによりＩＰ−ＰＢＸ11を介さずにルータ22’，23’とローカルネットワーク32，33を経由して、  Ｐｅｅｒ  ｔｏ  Ｐｅｅｒで行われる。このため、ＩＰ−ＰＢＸ11ではＩＰ端末12，13間の音声通信の異常を検出することができない。
【０００３】
これを解決するための従来技術として、ルータを介してネットワークと接続された測定装置において、ネットワークの障害（遅延，パケット損失，ゆらぎ等）を検出することで、コーデックの変更、新たな通信の規制、優先度の低い通信の切断を行い、ネットワークの負荷を軽減し、これによりネットワークの障害を起因とする音声通信の異常（遅延，音切れ，ひずみ）を防止する音声品質制御システム（例えば、特許文献１参照）が知られている。
【０００４】
【特許文献１】特開２００６−１２１１６６号公報（第６頁−第９頁、図１）
【発明の開示】
【発明が解決しようとする課題】
【０００５】
しかしながら、上述した従来技術では、ネットワークの障害を起因とする音声通信の異常を検出することはできるが、ＩＰ−ＰＢＸおよびＩＰ端末の障害を起因とする音声通信の異常である無音や片通話を検出することができないという問題点がある。
【０００６】
また、ＩＰ−ＰＢＸから制御できないＩＰ端末が不正な音声パケットを送出し続けている場合も、これを止めることができない。不正な音声パケットによりネットワークが輻輳すると、正常であった音声通信に異常を来たしてしまう。これによるコーデックの変更、新たな通信の規制、優先度の低い通信の切断はサービスの低下に他ならず、根本的な解決にはならない。
【０００７】
そこで、本発明の目的は、ＩＰ−ＰＢＸまたはＩＰ端末の障害を起因とする音声通信の異常を検出し、音声通信の停止または音声パケットを破棄することで音声品質を維持するＩＰ通信システムを提供することにある。
【課題を解決するための手段】
【０００８】
本発明のＩＰ通信システムは、基幹ネットワーク（図１の40）とローカルネットワーク（図１の31〜33）の境界に配置されたルータ（図１の21〜23）に音声監視手段（図１の20-1）とフィルタ手段（図１の20-2）を付加する。音声監視手段は、ＩＰ端末（図１の12，13）の間においてＰｅｅｒ  ｔｏ  Ｐｅｅｒで行なわれる音声通信の音声パケットを分析し、無音や片通話が閾値以上の長時間継続した場合、異常として検出する。異常を検出した場合、ルータからＩＰ−ＰＢＸ（図１の11）に通知し、ＩＰ−ＰＢＸはＩＰ端末に音声通信を停止する指示を送り、ＩＰ端末は音声パケットの送出を停止する。また、不正な音声パケットの送出元がＩＰ−ＰＢＸの制御対象外のＩＰ端末である場合、フィルタ手段はＩＰアドレスとポート番号により不正な音声パケットをフィルタし破棄する。
【発明の効果】
【０００９】
本発明によれば、ルータに音声監視手段を設けたため、従来は検出できなかったＩＰ−ＰＢＸおよびＩＰ端末の障害を起因とする音声通信の異常を検出し、検出した異常をＩＰ−ＰＢＸに通知することで、ＩＰ−ＰＢＸから異常を復旧させることができるという第１の効果を得ることができる。
【００１０】
また、ルータにフィルタ手段を設けたため、ＩＰ−ＰＢＸから異常を復旧できない場合は、ルータで不正な音声パケットを破棄することができ、これにより不正な音声パケットによるネットワークの輻輳を防止し、音声品質を維持することができるという第２の効果を得ることができる。
【発明を実施するための最良の形態】
【００１１】
本発明のＩＰ通信システムは、その一例を図１に示すように、ＩＰ−ＰＢＸ11がローカルネットワーク31とルータ21を経由して、またＩＰ端末12がローカルネットワーク32とルータ22、ＩＰ端末13がローカルネットワーク33とルータ23を経由して、それぞれ基幹ネットワーク40に接続されている。
【００１２】
ＩＰ−ＰＢＸ11は、ＩＰ端末12，13の音声通信を開始および停止させる音声通信制御部11-1を有する。ＩＰ端末12とＩＰ端末13はＰｅｅｒ  ｔｏ  Ｐｅｅｒで音声通信を行う機能を有する。ルータ21，22，23は、基幹ネットワーク40とそれぞれローカルネットワーク31，32，33の境界に配置され、音声パケットを分析する音声監視手段20-1と、特定のＩＰアドレスとポート番号の音声パケットをフィルタし破棄するフィルタ手段20-2を有する。
【００１３】
ＩＰ端末12，13とルータ21，22，23とローカルネットワーク31，32，33のＩＰアドレスは図１中に書き入れてあるとおりとする。ＩＰ−ＰＢＸ11は、図２に示すように、制御しているＩＰ端末12，13のＩＰアドレスリストと、図３に示すように、音声通信を監視させるルータ21，22，23のＩＰアドレスリストを保持しており、ルータ22，23に対してＩＰ端末12，13のＩＰアドレスリストを配布する。
【００１４】
ＩＰ端末12とＩＰ端末13がルータ22，23を経由して音声通信を行っている際、ルータ22，23の音声監視手段20-1は、送信元または送信先がＩＰアドレスリストにある音声パケットについて分析を行う。正常に通話している場合には、音声パケットに無音ではないデータが設定される。
【００１５】
終話の際に、ＩＰ−ＰＢＸ11またはＩＰ端末12，13の障害により復旧不良が生じ、図４に示すように、ＩＰ端末12，13から不正に無音の音声パケットが送出され続けたままになった場合、音声監視手段20-1は、無音を検出し閾値以上の長時間の無音が続いた場合、不正な音声パケットと判断する。
【００１６】
不正な音声パケットを検出した場合、そのルータはＩＰ−ＰＢＸ11に不正な音声パケットの送出元のＩＰアドレスを通知する。通知を受けたＩＰ−ＰＢＸ11は送信元のＩＰアドレスに該当するＩＰ端末12，13に対して音声通信を停止する指示を送信し、指示を受けたＩＰ端末12，13は音声パケットの送出を停止する。ＩＰ−ＰＢＸ11からルータ22，23に対して復旧に成功したことを通知することで復旧は完了する。
【００１７】
一方、送信元のＩＰアドレスがＩＰ−ＰＢＸ11のＩＰアドレスリストにない場合、送信元のＩＰ端末12，13はＩＰ−ＰＢＸ11の制御対象外であるため、ＩＰ−ＰＢＸ11から音声通信を停止することはできず、図５に示すように、ＩＰ−ＰＢＸ11はルータ11に対して復旧できなかったことを通知する。通知を受けたルータ11のフィルタ手段20-2は、不正な音声パケットをＩＰアドレスとポート番号によりフィルタして破棄する。これにより基幹ネットワーク40への不正な音声パケットの流出を防止する。
【００１８】
通常の通話では、ＩＰ端末12，13間の音声パケットは双方向に送受信される。ルータ22，23では音声パケットの送信元と送信先を記録し、音声監視手段20-1は双方向の音声通信であることを監視する。図６〜図８に示すように、ＩＰ−ＰＢＸ11またはＩＰ端末12，13の障害により片通話となった場合、音声監視手段20-1は片通話を検出し、閾値以上の長時間の片通話が続いた場合、ＩＰ−ＰＢＸ11に音声パケットの送出元と送出先のＩＰアドレスを通知する。
【００１９】
ＩＰ−ＰＢＸ11には片方向の音声通信を行うサービスが一部存在するため、通知を受けたＩＰ−ＰＢＸ11は受信したＩＰアドレスに該当するＩＰ端末12，13のサービスの状態を確認し、片方向の音声通信を行うサービス中であれば、図６に示すように、正常な音声通信であることをルータ22，23に通知する。
【００２０】
一方、片方向の音声通信を行うサービス中でない場合、音声監視手段20-1が無音を検出した場合（図４，図５）と同様に、フィルタ手段20-2は、音声通信の停止（図７）またはルータにおける音声パケットの破棄（図８）を行う。
【００２１】
また、図９に示すように、外部のネットワーク（インターネット34）から悪意を持った外部ＩＰ端末14が不正な音声パケットを送出し続けている場合も、同じ仕組みにより片通話として検出し、ルータ24で不正な音声パケットを破棄することができる。
【図面の簡単な説明】
【００２２】
【図１】本発明のＩＰ通信システムの一例を示す図
【図２】ＩＰ−ＰＢＸで制御しているＩＰ端末のＩＰアドレスリストを示す図
【図３】音声通信を監視するルータのＩＰアドレスリストを示す図
【図４】無音検出時のＩＰ−ＰＢＸによる復旧シーケンス図
【図５】無音検出時のルータによるフィルタのシーケンス図
【図６】片通話検出時の片通話サービス中のシーケンス図
【図７】片通話検出時のＩＰ−ＰＢＸによる復旧シーケンス図
【図８】片通話検出時のルータによるフィルタのシーケンス図
【図９】外部からの悪意な送信検出時のルータによるフィルタのシーケンス図
【図１０】一般的なＩＰ通信システムを示す図
【符号の説明】
【００２３】
11          ＩＰ−ＰＢＸ
12，13      ＩＰ端末
21，22，23  ルータ
31、32、33  ローカルネットワーク
34          インターネット
40          基幹ネットワーク
11-1        音声制御部
20-1        音声監視手段
20-2        フィルタ手段
【図１】
2008072378.tif 000003
【図２】
2008072378.tif 000004
【図３】
2008072378.tif 000005
【図４】
2008072378.tif 000006
【図５】
2008072378.tif 000007
【図６】
2008072378.tif 000008
【図７】
2008072378.tif 000009
【図８】
2008072378.tif 000010
【図９】
2008072378.tif 000011
【図１０】
2008072378.tif 000012